(57)【要約】      （修正有）【課題】角度の調整及び修正が可能で、杖やステッキを安定に支持できる杖用脚体を提供する。【解決手段】杖用脚体は、ボルト及びコネクタユニットにより結合される台座と、ブッシュ２０と、支持棒１１とを備える。ブッシュ及び支持棒は台座の球状の上壁３１に沿って角度が改変され、球状の上壁は平面３４を介してボルト４０に枢動可能に環装される修正リング４５に接触する。これにより、支持棒及びブッシュが自動修正されて、台座に対して垂直に連結される。【選択図】図５
0003208665.tif 000002
【実用新案登録請求の範囲】
【請求項１】
ブッシュと、台座と、ボルトと、修正リングとを備え、
前記ブッシュは、中央部に筒状側壁により円柱状空間が構成され、且つ底端内部の円周にはワッシャーが周設され、
前記台座は球状の上壁を有し、前記球状の上壁の中心部には口径を具備し、前記球状の上壁の内壁は前記口径を包囲させる平面を含み、前記台座は前記球状の上壁の一部分が前記ブッシュの底端に結合され、前記ワッシャーが前記球状の上壁の外壁面に接触されており、
前記ボルトは、頭部が下に向けられ、シャンクは前記台座の口径及び前記ブッシュの円柱状空間に枢動可能に貫設され、前記シャンクはコネクタユニットを介して底端が前記円柱状空間に貫入される支持棒に連結され、
前記修正リングは、前記ボルトのシャンクに環装されると共に前記ボルトの頭部と前記台座の前記平面との間に位置され、周面が前記平面に接触されることを特徴とする角度の変更及び修正が可能な杖用脚体。
【請求項２】
前記ブッシュの底部には円弧環状面及び階層状内壁により階層状空間が構成され、前記階層状内壁の中には前記ワッシャーが固定され、前記球状の上壁の一部分は前記階層状空間に結合されることを特徴とする、請求項１に記載の角度の変更及び修正が可能な杖用脚体。
【請求項３】
前記階層状内壁にある下端の内縁には面取りを有し、前記面取りと前記球状の上壁との間にはギャップを有することを特徴とする、請求項２に記載の角度の変更及び修正が可能な杖用脚体。
【請求項４】
前記球状の上壁と前記ブッシュの円弧環状面との間にはギャップが形成されることを特徴とする、請求項２に記載の角度の変更及び修正が可能な杖用脚体。
【請求項５】
前記ワッシャー及び前記球状の上壁が接触される部位は円弧状の接触面であることを特徴とする、請求項１に記載の角度の変更及び修正が可能な杖用脚体。
【請求項６】
前記口径は、その孔径は上が広く下が狭い錐形孔であることを特徴とする、請求項１に記載の角度の変更及び修正が可能な杖用脚体。
【請求項７】
前記台座は前記球状の上壁に連接される環状側壁を更に備え、前記環状側壁はベースに結合され、前記ベースは水平の底面を有することを特徴とする、請求項１に記載の角度の変更及び修正が可能な杖用脚体。
【考案の詳細な説明】
【技術分野】
【０００１】
本考案は、杖に関し、更に詳しくは、杖の柄及び脚体部の角度が改変可能であり、両者が自動的に垂直状態を回復させる構造に関する。
【背景技術】
【０００２】
図１に示す松葉杖１は、支持棒２及び前記支持棒２の底端に連結される脚体部３を有する。前記支持棒２及び前記脚体部３は固定式で連結される。使用者は松葉杖１を使用して歩行する場合、地面に対して松葉杖１を垂直または傾斜させて支持させるようにする。松葉杖１が地面に対して垂直になる場合、脚体部３の底面が地面に全面的に接触され、安定的な支持が提供される。
【考案の概要】
【考案が解決しようとする課題】
【０００３】
しかしながら、松葉杖１が地面に対して傾斜する場合、脚体部３は底面の一部のみが地面に接触されるため、支持が不安定になる。松葉杖１以外、支持棒２及び脚体部３を有する固定連結式のステッキやマールスティック等にも同様の問題が存在する。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の従来技術の課題を解決する為になされたものである。即ち、本考案は、上述の杖及びステッキの支持が不安定になる問題を解決させる、角度の変更及び修正が可能な杖用脚体を提供することを主目的とする。
【課題を解決するための手段】
【０００６】
上述した課題を解決し、目的を達成するために、本考案に係る角度の変更及び修正が可能な杖用脚体は、
中央部に筒状側壁により円柱状空間が構成され、且つ底端内部の円周にはワッシャーが周設されるブッシュと、
球状の上壁を有する台座であって、前記球状の上壁の中心部には口径を具備し、前記球状の上壁の内壁は前記口径を包囲させる平面を含み、前記台座は前記球状の上壁の一部分が前記ブッシュの底端に結合され、前記ワッシャーが前記球状の上壁の外壁面に接触されることと、
頭部が下に向けられ、シャンクは前記台座の口径及び前記ブッシュの円柱状空間に枢動可能に貫設され、前記シャンクはコネクタユニットを介して底端に連結されると共に前記円柱状空間にある支持棒に貫入されるボルトと、
前記ボルトのシャンクに環装されると共に前記ボルトの頭部と前記台座の前記平面との間に位置され、周面が前記平面に接触される修正リングとを備えることを特徴とする。
【０００７】
好ましくは、前記ブッシュの底部には円弧環状面及び階層状内壁により階層状空間が構成され、前記階層状内壁の中には前記ワッシャーが固定され、前記球状の上壁の一部分は前記階層状空間に結合される。
【０００８】
好ましくは、前記階層状内壁にある下端の内縁には面取りを有し、前記面取りと前記球状の上壁との間にはギャップを有する。
【０００９】
好ましくは、前記球状の上壁と前記ブッシュの円弧環状面との間にはギャップが形成される。前記ワッシャー及び前記球状の上壁が接触される部位は円弧状の接触面である。
【００１０】
好ましくは、前記口径は、その孔径は上が広く下が狭い錐形孔である。
【００１１】
好ましくは、前記台座は前記球状の上壁に連接される環状側壁を更に備え、前記環状側壁はベースに結合され、前記ベースは水平の底面を有する。
【考案の効果】
【００１２】
前記台座の球状の上壁が前記ブッシュのワッシャーに接触されることにより、前記ブッシュが前記球状の上壁上で中心軸を周回させるようにして角度が改変され、前記杖の支持棒が前記コネクタユニットを介して前記ブッシュに連結されることにより、前記杖の支持棒の角度が改変され、且つ前記脚体部が地面に対して垂直になるように始終保持され、前記脚体部のベースが始終全面的に地面に接触され、前記杖の支持が安定する。
【００１３】
また、杖の脚体部が地面により支持されていない場合、前記台座の球状の上壁の平面により前記修正リングが水平になるように修正される。これにより、前記杖の支持棒及びブッシュが自動修正され、脚体部に垂直を呈して連結される。
【００１４】
なお、前記ブッシュ中のワッシャーの円弧状接触面及び前記台座の球状の上壁は環状に接触され、前記ワッシャー及び球状の上壁の接触面積が縮小され、両者の摩損が減少されつつも両者の安定的な接触関係が維持される。
【００１５】
さらに、前記ブッシュの円弧環状面及び面取りと前記球状の上壁との間にそれぞれ形成されるギャップは、ブッシュ及び球状の上壁との接触面積及び摩擦を減少させる機能を有する。
【００１６】
前記台座の口径は、その孔径は上が広く下が狭い錐形孔であり、このため、前記支持棒が十分な傾斜角度を有する。
【００１７】
前記スプリングにより前記支持棒の弾性緩衝作用が提供され、前記脚体部が地面に接触される際に前記支持棒に伝達される反作用力が減少される。
【００１８】
本考案に係る脚体部は、松葉杖、マールスティック、ステッキ、または他の歩行補助器具に応用される。
【図面の簡単な説明】
【００１９】
【図１】従来の松葉杖の例を示す外観斜視図である。
【図２】本考案の杖の例を示す外観斜視図である。
【図３】本考案の脚体部を示す展開図である。
【図４】本考案の脚体部の傾斜の組み合わせを示す断面図である。
【図５】本考案の脚体部の組み合わせを示す断面図（一）である。
【図６】本考案の脚体部の組み合わせを示す断面図（二）である。
【考案を実施するための形態】
【００２０】
以下、図面を参照して本考案に係る角度の変更及び修正が可能な杖用脚体の実施形態について説明する。なお、本考案は、以下に説明する実施形態に限定されるものではない。さらに、実施形態において、各種の物品は説明における比率、サイズ、変形量、或いは変位量に基づいて描かれるものであり、実際の部材の比率に基づいて製図されるわけではないことを先に説明する。
＜実施形態＞
【００２１】
図２は本考案の角度の修正が可能能な杖の例を示す外観斜視図である。前記杖１０は、支持棒１１と、前記支持棒１１の底端に連結される脚体部１２と、前記支持棒１１の上端に連結される握り部１３とを備える。
【００２２】
以下、本考案の前記脚体部１２の部材の構成を図３乃至図５に基づいて説明する。
（ａ）ブッシュ２０について、前記ブッシュ２０の中央部には筒状側壁２１により円柱状空間２２が構成される。前記円柱状空間２２は前記ブッシュ２０の上端及び底端を貫通させ、前記ブッシュ２０の底部には円弧環状面２３及び階層状内壁２４により階層状空間２５が構成される。前記階層状空間２５は前記円柱状空間２２に連通される。前記筒状側壁２１は中心方向に向けて支持部２６が凸設される。前記階層状内壁２４中にはワッシャー２７が固定され、前記ワッシャー２７は耐摩耗材料で製造される環状構造である。前記ワッシャー２７の下端の内縁には円弧状の接触面２８を有する。前記階層状内壁２４の下端の内縁には面取り２９を有する。
【００２３】
（ｂ）台座３０は、連接される球状の上壁３１及び垂直の環状側壁３２により構成される中空台座体である。前記球状の上壁３１の中心部には口径３３を有する。前記口径３３は上が広く下が狭い錐形孔である。前記球状の上壁３１の内壁には前記口径３３を包囲させる平面３４を有する。前記台座３０は前記球状の上壁３１の一部分が前記ブッシュ２０の階層状空間２５に結合される。前記階層状空間２５中のワッシャー２７は前記円弧状の接触面２８が前記球状の上壁３１の外壁面に接触され、且つ前記球状の上壁３１と前記ブッシュ２０の円弧環状面２３との間にギャップ３５が形成される。前記階層状内壁２４の面取り２９と前記球状の上壁３１の外壁面との間にもギャップ３６が形成される。前記台座３０の環状側壁３２はベース３７に結合され、前記ベース３７は水平の底面３８を有する。
【００２４】
（ｃ）ボルト４０は、頭部が下に向けられる方式で前記台座３０の口径３３を貫通させて前記ブッシュ２０の円柱状空間２２に進入する。前記ボルト４０はコネクタユニット４１を介して前記杖１０の前記支持棒１１に連結される。前記コネクタユニット４１は、スプリング４２と、端部カバー４３と、ワッシャー４４と、ナット４６とを備える。前記ボルト４０は前記円柱状空間２２中に位置されるシャンク４７が前記スプリング４２、前記端部カバー４３、及び前記ワッシャー４４を順に貫装させ、且つ前記シャンク４７の末端は前記ナット４６により緊結される。前記スプリング４２の上端は前記端部カバー４３に当接され、底端は前記ブッシュ２０の支持部２６により支持される。前記端部カバー４３は前記杖１０の支持棒１１の底端内部に更に結合される。前記支持棒１１の底端は前記ブッシュ２０の円柱状空間２２中に枢動可能に貫設され、ゴムパッキン４９は前記ブッシュ２０の筒状側壁２１に固定され、前記ゴムパッキン４９は前記支持棒１１に接触される外壁を有する。
【００２５】
（ｄ）修正リング４５は、前記ボルト４０のシャンク４７に環装され、且つ前記ボルト４０のフランジ部４８と前記台座３０の平面３４との間で、前記修正リング４５の周面が前記平面３４に接触される。
【００２６】
図５及び図６に示すように、前記台座３０の球状の上壁３１が前記ブッシュ２０のワッシャー２７に接触されることにより、前記ブッシュ２０が前記球状の上壁３１上で中心軸を周回させるようにして角度が改変され、前記杖１０の支持棒１１が前記コネクタユニット４１を介して前記ブッシュ２０に連結されることにより、前記杖１０の支持棒１１も角度が改変され、前記修正リング４５は前記ボルト４０に連れて傾斜され、前記修正リング４５及び前記平面３４は全面的には接触されない。これにより、使用者が杖１０を使用する場合、杖１０の支持棒１１が地面に対して角度が傾斜しても、前記台座３０及び前記ベース３７は地面に対して垂直になるように保持され、ベース３７の底面は地面に全面的に接触され、全面的な支持が提供される。前記スプリング４２が圧縮されて前記支持棒１１に対する緩衝作用が形成され、前記脚体部１２が地面に接触される際に前記支持棒１１に伝達される反作用力が減少される。
【００２７】
以上、本考案の実施形態について図面を参照して詳述したが、具体的な構成はこの実施形態に限られるものではなく、本考案の要旨を逸脱しない範囲の設計変更等も含まれる。
【符号の説明】
【００２８】
１  松葉杖
２  支持棒
３  脚体部
１０  杖
１１  支持棒
１２  脚体部
１３  握り部
２０  ブッシュ
２１  筒状側壁
２２  円柱状空間
２３  円弧環状面
２４  階層状内壁
２５  階層状空間
２６  支持部
２７  ワッシャー
２８  接触面
２９  面取り
３０  台座
３１  球状の上壁
３２  環状側壁
３３  口径
３４  平面
３５  ギャップ
３６  ギャップ
３７  ベース
３８  底面
４０  ボルト
４１  コネクタユニット
４２  スプリング
４３  端部カバー
４４  ワッシャー
４５  修正リング
４６  ナット
４７  シャンク
４８  フランジ部
４９  ゴムパッキン
【図１】
0003208665.tif 000003
【図２】
0003208665.tif 000004
【図３】
0003208665.tif 000005
【図４】
0003208665.tif 000006
【図５】
0003208665.tif 000007
【図６】
0003208665.tif 000008